【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】
次の化学構造：
【化１】
2002522452.tif 000001
［式中，
Ａは，炭素および窒素からなる群より選択され；
Ｑは，
【化２】
2002522452.tif 000002
からなる群より選択され
結合ａおよびｂは点線により表されるように単結合または二重結合のいずれであってもよく，ただし，本発明のいずれか１つの化合物においてａおよびｂは両方とも単結合であるかまたは両方とも二重結合であり；
ａおよびｂが二重結合であるときｒは１であり；
ａおよびｂが単結合であるときｒは２であり；
Ｒ0は，水素，アルキル，−Ｃ（Ｏ）Ｒ19および−Ｃ（Ｏ）ＯＲ19からなる群より選択され；
Ｒ1は，水素，アルキル，アルコキシ，ハロ，アリール，−（ＣＨ2）nＯＣ（Ｏ）Ｒ19；−Ｃ（Ｏ）ＮＲ19；−Ｃ（Ｏ）ＯＲ19および−（ＣＨ2）nＲ20からなる群より選択され，
ここで，Ｒ19は，水素，アルキル，アルケニル，アルキニル，シクロアルキルおよびアリールからなる群より選択され；
ｎは，１，２，３または４であり；
Ｒ20は，ヒドロキシ，ハロ，−Ｃ（Ｏ）ＯＲ19，−ＯＣ（Ｏ）ＮＲ21Ｒ22；−ＯＣ（Ｓ）ＮＲ21Ｒ22，−ＯＣ（Ｏ）ＮＨＳＯ2Ｒ21Ｒ22；−ＮＲ21Ｒ22，および環中に少なくとも１つの窒素原子を含むヘテロ脂環式基であって環は窒素原子を介して隣接するＣＨ2基に結合している，からなる群より選択され；
Ｒ2は，水素，アルキル，シクロアルキル，アリール，ヘテロアリール，ヘテロ脂環式，トリハロメチル，アルコキシ，ハロ，−（ＣＨ2）nＲ20，−ＳＯ2ＮＲ21Ｒ22，−Ｃ（Ｏ）ＯＲ19，−Ｃ（Ｏ）Ｒ19，−ＮＨＣ（Ｏ）ＯＲ19，−ＮＲ21Ｒ22および−Ｎ＝ＣＲ23からなる群より選択され，
ここで，Ｒ21およびＲ22は，独立して，水素，アルキル，アルケニル，アルキニル，シクロアルキル，アリール，ヘテロアリール，ヘテロ脂環式からなる群より選択され；
Ｒ23は，アルキル，アルケニル，アルキニル，シクロアルキル，アリールおよびヘテロアリールからなる群より選択され；
Ｒ3は，水素，アルキル，トリハロメチル，アルコキシ，アリール，アリールオキシ，ヘテロアリール，ヘテロ脂環式，ヒドロキシ，ハロ，−ＳＯ2ＮＲ21Ｒ22，−ＮＨＳＯ2Ｒ19，−Ｃ（Ｏ）ＯＲ19，−ＮＲ21Ｒ22および−ＮＨＣ（Ｏ）Ｒ24からなる群より選択され，
ここで，Ｒ24は，アルキル，アルケニル，アルキニル，アリール，ヘテロアリールおよびヘテロ脂環式からなる群より選択され；
Ｒ4は，水素，アルキル，アルコキシおよびハロからなる群より選択され；
Ｒ5は，水素，アルキル，シクロアルキル，ハロ，アリールおよびヘテロアリールからなる群より選択され；
Ｒ6は，水素，アルキル，アルコキシ，ハロ，シクロアルキル，アリールからなる群より選択され，またはＲ18と一緒になって，構造：
【化３】
2002522452.tif 000003
［式中，ｙおよびｙ'は，独立して，水素，アルキルおよびアリールからなる群より選択される］
を有するヘテロ脂環式基であり；
Ｒ7は，ＯＲ18であり，ここでＲ18は，アルキル，−（ＣＨ2）nＲ20からなる群より選択され，またはＲ6またはＲ8と一緒になって，構造：
【化４】
2002522452.tif 000004
を有するヘテロ脂環式基であり；
Ｒ8は，水素，アルキル，シクロアルキル，アルコキシ，ハロ，アリール，ヘテロアリールからなる群より選択され，またはＲ18と一緒になって，構造：
【化５】
2002522452.tif 000005
を有するヘテロ脂環式環であり；
Ｒ9は，水素，アルキル，アルコキシ，ハロおよび−ＮＲ21Ｒ22からなる群より選択され；
Ｒ10は，アルキルおよび−Ｃ（Ｏ）ＯＲ19からなる群より選択され；
Ｒ11は，水素，アルキルおよび−Ｃ（Ｏ）ＯＲ19からなる群より選択され；
Ｒ12は，−（ＣＨ2）nＲ20であり；
Ｒ13は，Ｑがこれを介して分子の残りに結合している結合であるか，または水素およびアルキルからなる群より選択される基であり；
Ｒ14は，Ｑがこれを介して分子の残りに結合している結合であるか，または水素，アルキルおよび−（ＣＨ2）nＲ20からなる群より選択される基であり；
Ｒ15は，Ｑがこれを介して分子の残りに結合している結合であるか，または水素であり；
ただし，本発明のいずれか１つの化合物において，Ｒ13，Ｒ14またはＲ15のいずれか１つのみが，Ｑを分子の残りに結合している結合であり；
Ｒ16およびＲ17は，ａおよびｂが単結合であるとき，水素，アルキルおよびアリールからなる群より独立して選択され，ａおよびｂが二重結合であるとき，Ｒ16は，水素であり，Ｒ17は存在しない］
を有する化合物またはその生理学的に許容される塩。
【請求項２】
Ｑが
【化６】
2002522452.tif 000006
である，請求項１記載の化合物または塩。
【請求項３】
Ｒ1は，水素，低級アルキルおよび−Ｃ（Ｏ）ＯＨからなる群より選択され；
Ｒ2は，水素，低級アルキル，ハロ，−Ｃ（Ｏ）Ｒ19，−Ｃ（Ｏ）ＯＲ19，低級アルコキシ，−ＮＲ21Ｒ22，−（ＣＨ2）nＲ20および−ＮＨＣ（Ｏ）ＯＲ19からなる群より選択され；
Ｒ3は，水素，ヒドロキシ，ハロ，−ＮＨＣ（Ｏ）Ｏ（低級アルキル），−ＮＨＳＯ2Ｒ19，−ＮＨＣ（Ｏ）Ｒ24，トリハロメチル，および１またはそれ以上の低級アルコキシ基で任意に置換されていてもよいアリールからなる群より選択され；
Ｒ4は水素であり；
Ｒ19は，水素および低級アルキルからなる群より選択され；
ｎは２または３であり；
Ｒ20は，ヒドロキシ，−Ｃ（Ｏ）ＯＨ，モルホリン−４−イル，ピペリジン−１−イル，ピペラジン−１−イル，ピロリジン−１−イルおよび−ＮＲ21Ｒ22からなる群より選択され；
Ｒ21およびＲ22は，独立して，水素および低級アルキルからなる群より選択され；および，
Ｒ24は，水素および低級アルキルからなる群より選択される，請求項２記載の化合物または塩。
【請求項４】
Ｒ5は，水素，低級アルキル，ハロ，５員環ヘテロアリール，および低級アルキル，ハロ，ヒドロキシ，−ＮＲ21Ｒ22および低級アルコキシからなる群より選択される１またはそれ以上の基で任意に置換されていてもよいアリールからなる群より選択され；
Ｒ6は，水素，低級アルキル，３−７員のシクロアルキル，低級アルコキシ，ハロ，および低級アルキル，ハロ，ヒドロキシ，−ＮＲ21Ｒ22および低級アルコキシからなる群より独立して選択される１またはそれ以上の基で任意に置換されていてもよいアリールからなる群より選択され，またはＲ18と一緒になって構造：
【化７】
2002522452.tif 000007
［式中，ｙおよびｙ'は両方とも水素であるかまたは両方とも低級アルキルである］
を有する基であり；
Ｒ7は，−ＯＲ18であり，ここでＲ18は，低級アルキル，−（ＣＨ2）nＲ20からなる群より選択され，またはＲ6またはＲ8と一緒になって，構造：
【化８】
2002522452.tif 000008
を有する基であり；
Ｒ8は，水素，低級アルキル，３−６員環のシクロアルキル，低級アルコキシ，ハロ，および低級アルキル，低級アルコキシ，ハロ，−ＮＲ21Ｒ22および−ＮＨＣ（Ｏ）（低級アルキル）からなる群より選択される１またはそれ以上の基で任意に置換されていてもよいアリール，環中に１−３個のヘテロ原子を有する５員のヘテロアリール，および環中に１−３個のヘテロ原子を有する６員のヘテロアリールからなる群より選択され，またはＲ18と一緒になって，構造：
【化９】
2002522452.tif 000009
を有する基であり；
Ｒ9は，水素，低級アルキル；ヒドロキシ，低級アルコキシ，ハロおよび−ＮＲ21Ｒ22からなる群より選択される，
請求項３記載の化合物または塩。
【請求項５】
Ｒ5は，水素，低級アルキル，チエン−２−イル，チエン−３−イル，および１またはそれ以上の低級アルコキシ基で任意に置換されていてもよいアリールからなる群より選択され；
Ｒ6は，水素，低級アルキル，５員または６員のシクロアルキル，および１またはそれ以上の低級アルコキシ基で任意に置換されていてもよいアリールからなる群より選択され，またはＲ18と一緒になって構造：
【化１０】
2002522452.tif 000010
［式中，ｙおよびｙ'は両方とも水素であるかまたは両方とも低級アルキルである］
を有する基であり；
Ｒ7は，−ＯＲ18であり，ここで，Ｒ18は，低級アルキル，−（ＣＨ2）nＲ20からなる群より選択され，またはＲ6またはＲ8と一緒になって，構造：
【化１１】
2002522452.tif 000011
を有する基であり；
ｎは，２または３であり；
Ｒ20は，ヒドロキシ，−Ｃ（Ｏ）ＯＨ，モルホリン−４−イル，ピペリジン−１−イル，ピペラジン−１−イル，ピロリジン−１−イルおよび−ＮＲ21Ｒ22からなる群より選択され；
Ｒ8は，水素，低級アルキル，５員または６員環のシクロアルキル，低級アルコキシ，および−ＮＨＣ（Ｏ）（低級アルキル）基で任意に置換されていてもよいアリール，チエン−２−イル，チエン−３−イル，ピリジン−２−イル，およびピリジン−３−イルからなる群より選択され，またはＲ18と一緒になって，構造：
【化１２】
2002522452.tif 000012
を有する基であり；および
Ｒ9は，水素および低級アルキルからなる群より選択される，請求項３記載の化合物または塩。
【請求項６】
Ｑが
【化１３】
2002522452.tif 000013
である，請求項１記載の化合物または塩。
【請求項７】
Ｒ1は，水素，低級アルキルおよび−（ＣＨ2）nＲ20からなる群より選択され；
ｎは，２または３であり；
Ｒ20は，ヒドロキシおよび−Ｃ（Ｏ）ＯＨからなる群より選択され；
Ｒ2は，水素，ハロ，低級アルキル，低級アルコキシ，−ＳＯ2ＮＲ21Ｒ22および−Ｃ（Ｏ）ＯＨからなる群より選択され；
Ｒ3は，水素，ハロ，低級アルキル，低級アルコキシ，および１またはそれ以上の低級アルコキシ基で任意に置換されていてもよいアリールからなる群より選択され；および，
Ｒ4は水素である，請求項６記載の化合物または塩。
【請求項８】
Ｒ10は，低級アルキルおよび−Ｃ（Ｏ）ＯＲ19からなる群より選択され；
Ｒ11は，水素，低級アルキルおよび−Ｃ（Ｏ）ＯＲ19からなる群より選択され；
Ｒ12は，−（ＣＨ2）nＲ20であり；
Ｒ19は，水素および低級アルキルからなる群より選択され；
ｎは，２または３であり；および，
Ｒ20は，ヒドロキシ，−Ｃ（Ｏ）ＯＨ，モルホリン−４−イル，ピペリジン−１−イル，ピペラジン−１−イル，ピロリジン−１−イルおよび−ＮＲ21Ｒ22からなる群より選択される，請求項７記載の化合物または塩。
【請求項９】
Ｒ10は，低級アルキルおよび−Ｃ（Ｏ）Ｏ（低級アルキル）からなる群より選択され；
Ｒ11は，水素，低級アルキルおよび−Ｃ（Ｏ）ＯＲ19からなる群より選択され；
Ｒ12は，−（ＣＨ2）nＲ20であり；
Ｒ19は，水素および低級アルキルからなる群より選択され；
ｎは２であり；および，
Ｒ20は，−Ｃ（Ｏ）ＯＨ，モルホリン−１−イル，ピペリジン−１−イル，ピペラジン−１−イル，ピロリジン−１−イルおよび−Ｎ（低級アルキル）2からなる群より選択される，
請求項７記載の化合物または塩。
【請求項１０】
Ｑは，
【化１４】
2002522452.tif 000014
であり；
Ｒ1は，水素および低級アルキルからなる群より選択され；
Ｒ2は，水素，低級アルキル，ハロ，−Ｃ（Ｏ）ＯＲ19，−Ｃ（Ｏ）Ｒ19，−ＮＲ21Ｒ22，−ＳＯ2ＮＲ21Ｒ22および−Ｎ＝Ｃ−Ｒ23からなる群より選択され；
Ｒ3は，水素，ハロ，低級アルキル，低級アルコキシ，モルホリン−４−イル，ピペリジン−１−イル，ピペラジン−１−イル，ピロリジン−１−イル，および１またはそれ以上の低級アルコキシ基で任意に置換されていてもよいアリールからなる群より選択され；および，
Ｒ4は，水素である，請求項１記載の化合物または塩。
【請求項１１】
ａおよびｂはいずれも単結合であり；
ｒは２であり；
Ｒ13は，共有結合であって，Ｑはこれを介して分子の残りに結合しており；
Ｒ14は，水素，低級アルキルおよび−（ＣＨ2）nＲ20からなる群より選択され；
Ｒ15は，水素であり；
Ｒ16およびＲ17は，独立して，水素および低級アルキルからなる群より選択される，請求項１０記載の化合物または塩。
【請求項１２】
Ｒ20は，−ＮＲ21Ｒ22であり，ここでＲ21およびＲ22は，水素および低級アルキルからなる群より独立して選択される，請求項１１記載の化合物または塩。
【請求項１３】
ａおよびｂはいずれも二重結合であり；
ｒは１であり；
Ｒ13は，共有結合であって，Ｑはこれを介して分子の残りに結合しており；
Ｒ14は，水素，低級アルキルおよび−（ＣＨ2）nＲ20からなる群より選択され；
Ｒ15およびＲ16は水素であり；および，
Ｒ17は存在しない，請求項１０記載の化合物または塩。
【請求項１４】
ａおよびｂはいずれも二重結合であり；
ｒは１であり；
Ｒ13は，水素および低級アルキルからなる群より選択され；
Ｒ14は，共有結合であって，Ｑはこれを介して分子の残りに結合しており；
Ｒ15およびＲ16は水素であり；および，
Ｒ17は存在しない，請求項１０記載の化合物または塩。
【請求項１５】
ａおよびｂは二重結合であり；
ｒは１であり；
Ｒ13は，水素および低級アルキルからなる群より選択され；
Ｒ14は，水素，低級アルキルおよび−（ＣＨ2）nＲ20からなる群より選択され；
Ｒ15は，共有結合であって，Ｑはこれを介して分子の残りに結合しており；
Ｒ16は，水素であり；および，
Ｒ17は存在しない，請求項１０記載の化合物または塩。
【請求項１６】
インビトロまたはヒトを除く動物において蛋白質キナーゼの触媒活性を調節する方法であって，前記蛋白質キナーゼを請求項１記載の化合物または塩と接触させることを含む方法。
【請求項１７】
前記蛋白質キナーゼが，レセプターチロシンキナーゼ，非レセプターチロシンキナーゼおよびセリン−トレオニンキナーゼからなる群より選択される，請求項１６記載の方法。
【請求項１８】
生物において蛋白質キナーゼ関連疾患を治療または予防するための医薬組成物であって，治療的有効量の請求項１記載の化合物または塩、および薬学的に許容しうる担体または賦形剤を含む医薬組成物。
【請求項１９】
前記蛋白質キナーゼ関連疾患が，レセプターチロシンキナーゼ関連疾患，非レセプターチロシンキナーゼ関連疾患およびセリン−トレオニンキナーゼ関連疾患からなる群より選択される，請求項１８記載の医薬組成物。
【請求項２０】
前記蛋白質キナーゼ関連疾患が，ＥＧＦＲ関連疾患，ＰＤＧＦＲ関連疾患，ＩＧＦＲ関連疾患およびｆｌｋ関連疾患からなる群より選択される，請求項１８記載の医薬組成物。
【請求項２１】
前記蛋白質キナーゼ関連疾患が，扁平上皮癌，星状細胞腫，カポジ肉腫，神経膠芽細胞腫，肺癌，膀胱癌，頭頚部癌，黒色腫，卵巣癌，前立腺癌，乳癌，小細胞肺癌，神経膠腫，直腸結腸癌，尿生殖器癌および胃腸癌からなる群より選択される癌である，請求項１８記載の医薬組成物。
【請求項２２】
前記蛋白質キナーゼ関連疾患が，糖尿病，自己免疫疾患，過増殖疾患，再狭窄，線維症，乾癬，フォン・ヒッペル−リンダウ症候群，変形性関節症，慢性関節リウマチ，脈管形成，炎症性疾患，免疫疾患および心血管疾患からなる群より選択される，請求項１８記載の医薬組成物。
【請求項２３】
３−（３，５−ジイソプロピル−４−メトキシベンジリデン）−１，３−ジヒドロインドール−２−オン，
５−クロロ−３−（３，５−ジイソプロピル−４−メトキシベンジリデン）−１，３−ジヒドロインドール−２−オン，
Ｎ−［３−（３，５−ジイソプロピル−４−メトキシベンジリデン）−２−オキソ−２，３−ジヒドロ−１Ｈ−インドール−６−イル］−アセトアミド，
３−（３，５−ジイソプロピル−４−メトキシベンジリデン）−６−ヒドロキシ−１，３−ジヒドロインドール−２−オン，
５−アセチル−３−（３，５−ジイソプロピル−４−メトキシベンジリデン）−１，３−ジヒドロインドール−２−オン，
３−（３，５−ジイソプロピル−４−メトキシベンジリデン）−２−オキソ−２，３−ジヒドロ−１Ｈ−インドール−５−カルボン酸メチルエステル，
３−（３−イソプロピル−４−メトキシベンジリデン）−１，３−ジヒドロインドール−２−オン，
３−（５−イソプロピル−４−メトキシ−２−メチルベンジリデン）−１，３−ジヒドロインドール−２−オン，
５−クロロ−３−（５−イソプロピル−４−メトキシ−２−メチルベンジリデン）−１，３−ジヒドロインドール−２−オン，
３−（３−シクロペンチル−４−メトキシベンジリデン）−１，３−ジヒドロインドール−２−オン，
３−（３−シクロペンチル−４−メトキシベンジリデン）−５−フルオロ−１，３−ジヒドロインドール−２−オン，
３−（３−シクロヘキシル−４−メトキシベンジリデン）−１，３−ジヒドロインドール−２−オン，
５−ブロモ−３−（６−メトキシビフェニル−３−イルメチレン）−１，３−ジヒドロインドール−２−オン，
５−クロロ−３−（２，３−ジヒドロベンゾフラン−５−イルメチレン）−１，３−ジヒドロインドール−２−オン，
５−クロロ−３−（２，２−ジメチルクロマン−６−イルメチレン）−１，３−ジヒドロインドール−２−オン，
Ｎ−｛３−［３−シクロヘキシル−４−（２−モルホリン−４−イルエトキシ）−ベンジリデン］−２−オキソ−２，３−ジヒドロ−１Ｈ−インドール−６−イル｝−アセトアミド，
３−（３，５−ジイソプロピル−４−メトキシベンジリデン）−５−メトキシ−１，３−ジヒドロインドール−２−オン，
Ｎ−［３−（４−メトキシ−３−チオフェン−３−イルベンジリデン）−２−オキソ−２，３−ジヒドロ−１Ｈ−インドール−６−イル］−アセトアミド，
３−（３，５−ジイソプロピル−４−メトキシベンジリデン）−５−メチル−１，３−ジヒドロインドール−２−オン，
５−アミノ−３−（３，５−ジイソプロピル−４−メトキシベンジリデン）−１，３−ジヒドロインドール−２−オン，
５−クロロ−３−（４−メトキシ−３，５−ジメチルベンジリデン）−１，３−ジヒドロインドール−２−オン，
３−（３，５−ジイソプロピル−４−メトキシベンジリデン）−６−フルオロ−１，３−ジヒドロインドール−２−オン，
３−（２，２−ジメチルクロマン−６−イルメチレン）−５−フルオロ−１，３−ジヒドロインドール−２−オン，
５−クロロ−３−［３，５−ジイソプロピル−４−（２−モルホリン−４−イルエトキシ）−ベンジリデン］−１，３−ジヒドロインドール−２−オン，
３−（３，５−ジイソプロピル−４−メトキシベンジリデン）−７−フルオロ−１，３−ジヒドロインドール−２−オン，
３−（４−メトキシ−３−チオフェン−３−イルベンジリデン）−５−（２−モルホリン−４−イルエチル）−１，３−ジヒドロインドール−２−オン，
Ｎ−［３−（５−イソプロピル−４−メトキシ−２−メチルベンジリデン）−２−オキソ−２，３−ジヒドロ−１Ｈ−インドール−６−イル］−アセトアミド
３−（３，５−ジイソプロピル−４−メトキシベンジリデン）−５−エチル−１，３−ジヒドロインドール−２−オン，
Ｎ−［２'−メトキシ−５'−（２−オキソ−１，２−ジヒドロインドール−３−イリデンメチル）−ビフェニル−３−イル］−アセトアミド，
５−フルオロ−３−（５−イソプロピル−４−メトキシ−２−メチルベンジリデン）−１，３−ジヒドロインドール−２−オン，
Ｎ−［３−（４−メトキシ−３−チオフェン−２−イルベンジリデン）−２−オキソ−２，３−ジヒドロ−１Ｈ−インドール−６−イル］−アセトアミド，
６−アミノ−３−（３，５−ジイソプロピル−４−メトキシベンジリデン）−１，３−ジヒドロインドール−２−オン，
Ｎ−［３−（２，２−ジメチルクロマン−６−イルメチレン）−２−オキソ−２，３−ジヒドロ−１Ｈ−インドール−６−イル］−アセトアミド，
５−ブロモ−３−（２，２−ジメチルクロマン−６−イルメチレン）−１，３−ジヒドロインドール−２−オン，
３−（４−メトキシ−３−チオフェン−３−イルベンジリデン）−１，３−ジヒドロインドール−２−オン，
５−ブロモ−３−（５−イソプロピル−４−メトキシ−２−メチルベンジリデン）−１，３−ジヒドロインドール−２−オン，
５−フルオロ−３−（６−メトキシビフェニル−３−イルメチレン）−１，３−ジヒドロインドール−２−オン，
３−（３−イソプロピル−４−メトキシベンジリデン）−４−メチル−１，３−ジヒドロインドール−２−オン，３−（４，５−ジメトキシ−２−チオフェン−２−イルベンジリデン）−１，３−ジヒドロインドール−２−オン，
Ｎ−｛３−［４−（２−モルホリン−４−イルエトキシ）−３−チオフェン−２−イルベンジリデン］−２−オキソ−２，３−ジヒドロ−１Ｈ−インドール−６−イル｝−アセトアミド，
３−（２，２−ジメチルクロマン−６−イルメチレン）−４−メチル−１，３−ジヒドロインドール−２−オン，
３−（２，３−ジヒドロベンゾフラン−５−イルメチレン）−５−フルオロ−１，３−ジヒドロインドール−２−オン，
３−（３−シクロヘキシル−４−メトキシベンジリデン）−５−フルオロ−１，３−ジヒドロインドール−２−オン，
５−フルオロ−３−（３−イソプロピル−４−メトキシベンジリデン）−１，３−ジヒドロインドール−２−オン，
３−（５−イソプロピル−４−メトキシ−２−メチルベンジリデン）−１，３−ジヒドロピロロ［２，３−ｂ］ピリジン−２−オン，
３−（３'−エトキシ−６−メトキシビフェニル−３−イルメチレン）−１，３−ジヒドロインドール−２−オン，
３−（３−シクロペンチル−４−メトキシベンジリデン）−１，３−ジヒドロピロロ［２，３−ｂ］ピリジン−２−オン，
３−（３−シクロペンチル−４−メトキシベンジリデン）−４−メチル−１，３−ジヒドロインドール−２−オン，
３−（４，５，２'−トリメトキシビフェニル−２−イルメチレン）−１，３−ジヒドロインドール−２−オン，
Ｎ−｛３−［４−（２−モルホリン−４−イルエトキシ）−３−チオフェン−３−イルベンジリデン］−２−オキソ−２，３−ジヒドロ−１Ｈ−インドール−６−イル｝−アセトアミド，
５−クロロ−３−（３−シクロヘキシル−４−メトキシベンジリデン）−１，３−ジヒドロインドール−２−オン，
［３−（３，５−ジイソプロピル−４−メトキシベンジリデン）−２−オキソ−２，３−ジヒドロ−１Ｈ−インドール−６−イル］−カルバミン酸ｔｅｒｔ−ブチルエステル，
３−（３，５−ジイソプロピル−４−メトキシベンジリデン）−４−メチル−１，３−ジヒドロインドール−２−オン，
５−ブロモ−３−（３，５−ジイソプロピル−４−メトキシベンジリデン）−１，３−ジヒドロインドール−２−オン，
Ｎ−｛３−［３−ｔｅｒｔ−ブチル−４−（２−モルホリン−４−イルエトキシ）−ベンジリデン］−２−オキソ−２，３−ジヒドロ−１Ｈ−インドール−６−イル｝−アセトアミド，
３−（４−メトキシ−３，５−ジメチルベンジリデン）−１，３−ジヒドロピロロ［２，３−ｂ］ピリジン−２−オン，
５−ブロモ−３−［３，５−ジイソプロピル−４−（２−モルホリン−４−イルエトキシ）−ベンジリデン］−１，３−ジヒドロインドール−２−オン，
３−（３'−エトキシ−４，５−ジメトキシビフェニル−２−イルメチレン）−１，３−ジヒドロインドール−２−オン，
５−クロロ−３−（４−メトキシ−３−チオフェン−２−イルベンジリデン）−１，３−ジヒドロインドール−２−オン，
５−クロロ−３−（４−メトキシ−３−ピリジン−３−イルベンジリデン）−１，３−ジヒドロインドール−２−オン，
５−クロロ−３−（４，５，３'−トリメトキシビフェニル−２−イルメチレン）−１，３−ジヒドロインドール−２−オン，
３−（４，５−ジメトキシ−２−ナフタレン−２−イルベンジリデン）−１，３−ジヒドロインドール−２−オン，
Ｎ−［３−（３'−アセチルアミノ−６−メトキシビフェニル−３−イルメチレン）−２−オキソ−２，３−ジヒドロ−１Ｈ−インドール−６−イル］−アセトアミド，
６−メトキシ−３−（４−メトキシ−３−チオフェン−３−イルベンジリデン）−１，３−ジヒドロインドール−２−オン，
３−（６−メトキシビフェニル−３−イルメチレン）−１，３−ジヒドロインドール−２−オン，
３−（２，３−ジヒドロベンゾフラン−５−イルメチレン）−１，３−ジヒドロインドール−２−オン，
５−クロロ−３−（６−メトキシビフェニル−３−イルメチレン）−１，３−ジヒドロインドール−２−オン，
３−（３−シクロヘキシル−４−メトキシベンジリデン）−４−メチル−１，３−ジヒドロインドール−２−オン，
３−（２，３−ジヒドロベンゾフラン−５−イルメチレン）−４−メチル−１，３−ジヒドロインドール−２−オン，
３−（３−イソプロピル−４−メトキシベンジリデン）−１，３−ジヒドロピロロ［２，３−ｂ］ピリジン−２−オン，
３−（６−メトキシビフェニル−３−イルメチレン）−１，３−ジヒドロピロロ［２，３−ｂ］ピリジン−２−オン，
３−（３−シクロヘキシル−４−メトキシベンジリデン）−１，３−ジヒドロピロロ［２，３−ｂ］ピリジン−２−オン，
３−（２，３−ジヒドロベンゾフラン−５−イルメチレン）−１，３−ジヒドロピロロ［２，３−ｂ］ピリジン−２−オン，
３−（３，５−ジイソプロピル−４−メトキシベンジリデン）−１，３−ジヒドロピロロ［２，３−ｂ］ピリジン−２−オン，
５−ブロモ−３−（３−イソプロピル−４−メトキシベンジリデン）−１，３−ジヒドロインドール−２−オン，
５−ブロモ−３−（３−シクロペンチル−４−メトキシベンジリデン）−１，３−ジヒドロインドール−２−オン，
５−クロロ−３−（３−シクロペンチル−４−メトキシベンジリデン）−４−メチル−１，３−ジヒドロインドール−２−オン，
５−クロロ−３−（６−メトキシビフェニル−３−イルメチレン）−４−メチル−１，３−ジヒドロインドール−２−オン，
５−クロロ−３−（５−イソプロピル−４−メトキシ−２−メチルベンジリデン）−４−メチル−１，３−ジヒドロインドール−２−オン，
５−クロロ−３−（４−メトキシ−３，５−ジメチルベンジリデン）−４−メチル−１，３−ジヒドロインドール−２−オン，
３−（３，５−ジイソプロピル−４−メトキシベンジリデン）−６−トリフルオロメチル−１，３−ジヒドロインドール−２−オン，
６−クロロ−３−（３，５−ジイソプロピル−４−メトキシベンジリデン）−１，３−ジヒドロインドール−２−オン，
３−［３−（３，５−ジイソプロピル−４−メトキシベンジリデン）−２−オキソ−２，３−ジヒドロ−１Ｈ−インドール−５−イル］−プロピオン酸，
３−（３，５−ジイソプロピル−４−メトキシベンジリデン）−６−メトキシ−１，３−ジヒドロインドール−２−オン，
５−ブチル−３−（３，５−ジイソプロピル−４−メトキシベンジリデン）−１，３−ジヒドロインドール−２−オン，
３−（３，５−ジイソプロピル−４−メトキシベンジリデン）−２−オキソ−２，３−ジヒドロ−１Ｈ−インドール−４−カルボン酸，
３−（３，５−ジイソプロピル−４−メトキシベンジリデン）−６−（３−メトキシフェニル）−１，３−ジヒドロインドール−２−オン，
７−クロロ−３−（３，５−ジイソプロピル−４−メトキシベンジリデン）−５−メチル−１，３−ジヒドロインドール−２−オン，
［３−（３，５−ジイソプロピル−４−メトキシベンジリデン）−２−オキソ−２，３−ジヒドロ−１Ｈ−インドール−５−イル］−カルバミン酸ｔｅｒｔ−ブチルエステル，
５−クロロ−３−（３−イソプロピル−４−メトキシベンジリデン）−１，３−ジヒドロインドール−２−オン，
５−クロロ−３−（３−シクロペンチル−４−メトキシベンジリデン）−１，３−ジヒドロインドール−２−オン，
３−（６−メトキシビフェニル−３−イルメチレン）−４−メチル−１，３−ジヒドロインドール−２−オン，
３−（５−イソプロピル−４−メトキシ−２−メチルベンジリデン）−４−メチル−１，３−ジヒドロインドール−２−オン，
５−ブロモ−３−（２，３−ジヒドロベンゾフラン−５−イルメチレン）−１，３−ジヒドロインドール−２−オン，
５−クロロ−３−（３−イソプロピル−４−メトキシベンジリデン）−４−メチル−１，３−ジヒドロインドール−２−オン，
５−クロロ−３−（３，５−ジイソプロピル−４−メトキシベンジリデン）−４−メチル−１，３−ジヒドロインドール−２−オン，
５−クロロ−３−（２，２−ジメチルクロマン−６−イルメチレン）−４−メチル−１，３−ジヒドロインドール−２−オン，
３−（３，５−ジイソプロピル−４−メトキシベンジリデン）−２−オキソ−２，３−ジヒドロ−１Ｈ−インドール−５−カルボン酸，
３−（３，５−ジイソプロピル−４−メトキシベンジリデン）−５，６−ジメトキシ−１，３−ジヒドロインドール−２−オン，
Ｎ−［３−（３，５−ジイソプロピル−４−メトキシベンジリデン）−２−オキソ−２，３−ジヒドロ−１Ｈ−インドール−６−イル］−メタンスルホンアミド，
Ｎ−［３−（３，５−ジイソプロピル−４−メトキシベンジリデン）−２−オキソ−２，３−ジヒドロ−１Ｈ−インドール−６−イル］−ベンズアミド，
３−（３，５−ジイソプロピル−４−メトキシベンジリデン）−６−（３−エトキシフェニル）−１，３−ジヒドロインドール−２−オン，
３−（３，５−ジイソプロピル−４−メトキシベンジリデン）−６−フェニル−１，３−ジヒドロインドール−２−オン，
３−（３，５−ジイソプロピル−４−メトキシベンジリデン）−５−フルオロ−１，３−ジヒドロインドール−２−オン，
５−フルオロ−３−（４−メトキシ−３，５−ジメチルベンジリデン）−１，３−ジヒドロインドール−２−オン，
３−（２，２−ジメチルクロマン−６−イルメチレン）−１，３−ジヒドロインドール−２−オン
からなる群より選択される，請求項１記載の化合物またはその塩。
【請求項２４】
５−メチル−３−（３−メチル−１Ｈ−インドール−２−イルメチレン）−１，３−ジヒドロインドール−２−オン，
３−（３−メチル−１Ｈ−インドール−２−イルメチレン）−２−オキソ−２，３−ジヒドロ−１Ｈ−インドール−５−スルホン酸アミド，
３−（３−メチル−１Ｈ−インドール−２−イルメチレン）−２−オキソ−２，３−ジヒドロ−１Ｈ−インドール−５−スルホン酸メチルアミド，
３−（３−メチル−１Ｈ−インドール−２−イルメチレン）−２−オキソ−２，３−ジヒドロ−１Ｈ−インドール−５−スルホン酸ジメチルアミド，
３−（３−メチル−１Ｈ−インドール−２−イルメチレン）−２−オキソ−２，３−ジヒドロ−１Ｈ−インドール−５−カルボン酸，
５−アセチル−３−（３−メチル−１Ｈ−インドール−２−イルメチレン）−１，３−ジヒドロインドール−２−オン，
５−アセチル−３−（１Ｈ−インドール−２−イルメチレン）−１，３−ジヒドロインドール−２−オン，
３−（１Ｈ−インドール−２−イルメチレン）−２−オキソ−２，３−ジヒドロ−１Ｈ−インドール−５−スルホン酸アミド，
５−アミノ−３−（１Ｈ−インドール−２−イルメチレン）−１，３−ジヒドロインドール−２−オン，
３−（１Ｈ−インドール−２−イルメチレン）−２−オキソ−２，３−ジヒドロ−１Ｈ−インドール−５−カルボン酸，
６−クロロ−３−（１Ｈ−インドール−２−イルメチレン）−１，３−ジヒドロインドール−２−オン，
３−（１Ｈ−インドール−２−イルメチレン）−１，３−ジヒドロインドール−２−オン，
５−クロロ−３−（１Ｈ−インドール−２−イルメチレン）−１，３−ジヒドロインドール−２−オン，
５−ブロモ−３−（１Ｈ−インドール−２−イルメチレン）−１，３−ジヒドロインドール−２−オン，
３−（１Ｈ−インドール−２−イルメチレン）−４−メチル−１，３−ジヒドロインドール−２−オン，
３−（３−メチル−１Ｈ−インドール−２−イルメチレン）−１，３−ジヒドロインドール−２−オン，
５−クロロ−３−（３−メチル−１Ｈ−インドール−２−イルメチレン）−１，３−ジヒドロインドール−２−オン，
５−ブロモ−３−（３−メチル−１Ｈ−インドール−２−イルメチレン）−１，３−ジヒドロインドール−２−オン，
４−メチル−３−（３−メチル−１Ｈ−インドール−２−イルメチレン）−１，３−ジヒドロインドール−２−オン，および
３−（１Ｈ−インドール−２−イルメチレン）−５［（１Ｈ−インドール−２−イルメチレン）アミノ］−１，３−ジヒドロインドール−２−オン
からなる群より選択される，請求項１記載の化合物またはその生理学的に許容しうる塩。
【請求項２５】
３−［２−（２−オキソ−１，２−ジヒドロ−インドール−３−イリデンメチル）−４，５，６，７−テトラヒドロ−１Ｈ−インドール−３−イル］−プロピオン酸，
３−［２−（５−クロロ−２−オキソ−１，２−ジヒドロ−インドール−３−イリデンメチル）−４，５，６，７−テトラヒドロ−１Ｈ−インドール−３−イル］−プロピオン酸，
３−２−（５−ブロモ−２−オキソ−１，２−ジヒドロ−インドール−３−イリデンメチル）−４，５，６，７−テトラヒドロ−１Ｈ−インドール−３−イル］−プロピオン酸，
３−［２−（４−メチル−２−オキソ−１，２−ジヒドロ−インドール−３−イリデンメチル）−４，５，６，７−テトラヒドロ−１Ｈ−インドール−３−イル］−プロピオン酸，
３−［２−（５−メチル−２−オキソ−１，２−ジヒドロ−インドール−３−イリデンメチル）−４，５，６，７−テトラヒドロ−１Ｈ−インドール−３−イル］−プロピオン酸，
３−［２−（６−クロロ−２−オキソ−１，２−ジヒドロ−インドール−３−イリデンメチル）−４，５，６，７−テトラヒドロ−１Ｈ−インドール−３−イル］−プロピオン酸，
３−［２−（６−メトキシ−２−オキソ−１，２−ジヒドロ−インドール−３−イリデンメチル）−４，５，６，７−テトラヒドロ−１Ｈ−インドール−３−イル］−プロピオン酸，
Ｎ，Ｎ−ジメチル−３−［２−（２−オキソ−１，２−ジヒドロ−インドール−３−イリデンメチル）−４，５，６，７−テトラヒドロ−１Ｈ−インドール−３−イル］−プロピオンアミド，
３−［３−（３−ジメチルアミノ−プロピル）−４，５，６，７−テトラヒドロ−１Ｈ−インドール−２−イルメチレン］−１，３−ジヒドロ−インドール−２−オン，
３−［２−（２−オキソ−１，２−ジヒドロ−インドール−３−イリデンメチル）−４，５，６，７−テトラヒドロ−１Ｈ−インドール−３−イル］−プロピオンアミド，
３−［３−（３−モルホリン−４−イル−３−オキソ−プロピル）−４，５，６，７−テトラヒドロ−１Ｈ−インドール−２−イルメチレン］−１，３−ジヒドロ−インドール−２−オン，
Ｎ−メチル−３−［２−（２−オキソ−１，２−ジヒドロ−インドール−３−イリデンメチル）−４，５，６，７−テトラヒドロ−１Ｈ−インドール−３−イル］−プロピオンアミド，
Ｎ−（２−モルホリン−４−イル−エチル）−３−［２−（２−オキソ−１，２−ジヒドロ−インドール−３−イリデンメチル）−４，５，６，７−テトラヒドロ−１Ｈ−インドール−３−イル］−プロピオンアミド，
３−［２−（２−オキソ−１，２−ジヒドロ−ピロロ［２，３−ｂ］ピリジン−３−イリデンメチル）−４，５，６，７−テトラヒドロ−１Ｈ−インドール−３−イル］−プロピオン酸，
３−｛２−［６−（３−メトキシ−フェニル）−２−オキソ−１，２−ジヒドロ−インドール−３−イリデンメチル］−４，５，６，７−テトラヒドロ−１Ｈ−インドール−３−イル｝−プロピオン酸，
３−｛２−［６−（４−メトキシ−フェニル）−２−オキソ−１，２−ジヒドロ−インドール−３−イリデンメチル］−４，５，６，７−テトラヒドロ−１Ｈ−インドール−３−イル｝−プロピオン酸，
３−［２−（２−オキソ−６−フェニル−１，２−ジヒドロ−インドール−３−イリデンメチル）−４，５，６，７−テトラヒドロ−１Ｈ−インドール−３−イル］−プロピオン酸，
３−｛２−［６−（２−メトキシ−フェニル）−２−オキソ−１，２−ジヒドロ−インドール−３−イリデンメチル］−４，５，６，７−テトラヒドロ−１Ｈ−インドール−３−イル｝−プロピオン酸，
３−［２−（５−イソプロピルスルファモイル−２−オキソ−１，２−ジヒドロ−インドール−３−イリデンメチル）−４，５，６，７−テトラヒドロ−１Ｈ−インドール−３−イル］−プロピオン酸，
３−［２−（６−モルホリン−４−イル−２−オキソ−１，２−ジヒドロ−インドール−３−イリデンメチル）−４，５，６，７−テトラヒドロ−１Ｈ−インドール−３−イル］−プロピオン酸，
３−［２−（５−クロロ−４−メチル−２−オキソ−１，２−ジヒドロ−インドール−３−イリデンメチル）−４，５，６，７−テトラヒドロ−１Ｈ−インドール−３−イル］−プロピオン酸，
３−［２−（５−ブロモ−４−メチル−２−オキソ−１，２−ジヒドロ−インドール−３−イリデンメチル）−４，５，６，７−テトラヒドロ−１Ｈ−インドール−３−イル］−プロピオン酸，
３−［２−（５−ブロモ−２−オキソ−１，２−ジヒドロ−インドール−３−イリデンメチル）−４，５，６，７−テトラヒドロ−１Ｈ−インドール−３−イル］−Ｎ−（２−モルホリン−４−イル−エチル）−プロピオンアミド，
３−［２−（５−クロロ−２−オキソ−１，２−ジヒドロ−インドール−３−イリデンメチル）−４，５，６，７−テトラヒドロ−１Ｈ−インドール−３−イル］−Ｎ−（２−モルホリン−４−イル−エチル）−プロピオンアミド，および
３−［２−（２−オキソ−１，２−ジヒドロ−インドール−３−イリデンメチル）−フェニル］−プロピオン酸
からなる群より選択される，請求項１記載の化合物またはその生理学的に許容しうる塩。
【請求項２６】
３−（３−（Ｒ27Ｒ28Ｎ）プロピル）−４，５，６，７−テトラヒドロ−１Ｈ−インドールを製造する方法であって，
５−アミノレブリン酸またはその塩酸塩を，５位においてアルキルおよびアリールからなる群より独立して選択される１または２個の基で任意に置換されていてもよい１，３−シクロヘキサジオンと，第１の溶媒中，塩基の存在下で，約６０℃−約１８０℃の温度で反応させて，任意に置換されていてもよい３−（４−オキソ−４，５，６，７−テトラヒドロ−１Ｈ−インドール−３−イル）プロピオン酸を得；
前記３−（４−オキソ−４，５，６，７−テトラヒドロ−１Ｈ−インドール−３−イル）プロピオン酸を，Ｒ27Ｒ28ＮＨ基（式中，Ｒ27およびＲ28は，水素，アルキル，アルケニル，アルキニルおよびアリールからなる群より独立して選択されるか，またはＲ27およびＲ28は一緒になって，窒素原子とともに５員ヘテロアリール基を形成し，または窒素原子とともに５員または６員のヘテロ脂環式基を形成する）と反応させて，任意に置換されていてもよい３−（３−（Ｒ27Ｒ28Ｎ）−３−オキソプロピル）−４，５，６，７−テトラヒドロ−インドール−４−オンを得；そして
前記３−（３−（Ｒ27Ｒ28Ｎ）−３−オキソプロピル）−４，５，６，７−テトラヒドロインドール−４−オンを，第２の溶媒中で，およそ室温から約８０℃の温度で，金属水素化物還元剤で還元して，３−（３−Ｒ27Ｒ28Ｎ）プロピル−４，５，６，７−テトラヒドロ−１Ｈ−インドールを得る，
の各工程を含む方法。
【請求項２７】
前記５−アミノレブリン酸またはその塩酸塩と前記任意に置換されていてもよい１，３−シクロヘキサジオンとの反応を，前記第１の溶媒として水を用いて行う，請求項２６記載の方法。
【請求項２８】
前記５−アミノレブリン酸またはその塩酸塩と前記任意に置換されていてもよい１，３−シクロヘキサジオンとの反応を，前記塩基として酢酸ナトリウムを用いて行う，請求項２６記載の方法。
【請求項２９】
前記５−アミノレブリン酸またはその塩酸塩と前記任意に置換されていてもよい１，３−シクロヘキサジオンとの反応を，約１００℃−約１２０℃の温度で行う，請求項２６記載の方法。
【請求項３０】
Ｒ27およびＲ28基として，独立して低級アルキル，および一緒になって−（ＣＨ2）4−，−（ＣＨ2）5−，−（ＣＨ2）2Ｏ（ＣＨ2）2−および−（ＣＨ2）2Ｎ（ＣＨ2）2−からなる群より選択される基を用いる，請求項２６記載の方法。
【請求項３１】
前記Ｒ27Ｒ28ＮＨと前記３−（４−オキソ−４，５，６，７−テトラヒドロ−１Ｈ−インドール−３−イル）プロピオン酸との前記反応を，１，１−カルボニルジイミダゾールを用いて行う，請求項２６記載の方法。
【請求項３２】
前記３−（３−（Ｒ27Ｒ28Ｎ）−３−オキソプロピル）−４，５，６，７−テトラヒドロインドール−４−オンの還元を，水素化リチウムアルミニウムを用いて行う，請求項２６記載の方法。
【請求項３３】
前記３−（３−（Ｒ27Ｒ28Ｎ）−３−オキソプロピル）−４，５，６，７−テトラヒドロインドール−４−オンの還元を，前記第２の溶媒としてテトラヒドロフランを用いて，およそ室温から前記テトラヒドロフランの還流温度までの温度で行う，請求項２６記載の方法。